(57)【特許請求の範囲】
【請求項１】
配膳トレイ上の所定の位置に載置される複数の食器を前記配膳トレイ下かつ各前記食器に対応させて配置される電磁誘導コイルが発する電磁波を利用して前記各食器を電磁誘導加熱し前記各食器内に配置される食材の調理を行う調理機であって、２つ以上の前記配膳トレイそれぞれの同じ位置に載置される前記食器に対し同一の加熱調理制御が行われる前記調理機において、前記２つ以上の配膳トレイそれぞれの同じ位置に載置され同時に使用される電磁調理器用食器セットであって、
相対的に強く熱する必要のある前記食材を配置させる第１電磁調理器用食器と、相対的に弱く熱する必要のある前記食材を配置させる第２電磁調理器用食器と、を含み、前記第１電磁調理器用食器に係る高台の高さが前記第２電磁調理器用食器に係る高台の高さより低く、前記電磁誘導コイルの位置が前記配膳トレイの食器の載置面に対して前記第１電磁調理器用食器と前記第２電磁調理器用食器との位置でそれぞれ同じ距離にあり、前記第１電磁調理器用食器及び前記第２電磁調理器用食器が備える各発熱部と前記電磁誘導コイルとの距離を前記高台の高さで調整することを特徴とする電磁調理器用食器セット。
【請求項２】
前記第１電磁調理器用食器及び第２電磁調理器用食器が、非磁性材から成る上面が開口した外容器と、該外容器の内側に密接に嵌合し、電磁誘導加熱の原理により発熱する磁性金属から成る上面が開口した内容器と、を備え、前記外容器の熱伝導率が前記内容器の熱伝導率よりも低く、
前記第１電磁調理器用食器と前記第２電磁調理器用食器とでは、前記外容器に係る高台の形状を除き、外形状に関し同一であることを特徴とする請求項１に記載の電磁調理器用食器セット。
【請求項３】
配膳トレイ上の所定の位置に載置される複数の食器を前記配膳トレイ下かつ各前記食器に対応させて配置される電磁誘導コイルが発する電磁波を利用して前記各食器を電磁誘導加熱し前記各食器内に配置される食材の調理を行う調理機であって、２つ以上の前記配膳トレイそれぞれの同じ位置に載置される前記食器に対し同一の加熱調理制御が行われる前記調理機において、
第１電磁調理器用食器に係る高台の高さが第２電磁調理器用食器に係る高台の高さより低く、前記電磁誘導コイルの位置が前記配膳トレイの食器の載置面に対して前記第１電磁調理器用食器と前記第２電磁調理器用食器との位置でそれぞれ同じ距離にあり、前記第１電磁調理器用食器及び前記第２電磁調理器用食器が備える各発熱部と前記電磁誘導コイルとの距離を前記高台の高さで調整するとき、前記第１電磁調理器用食器には相対的に強く熱すべき前記食材を配置すると共に、前記第２電磁調理器用食器には相対的に弱く熱すべき前記食材を配置し、前記同一の加熱調理制御が施される位置に載置させた前記第１電磁調理器用食器及び前記第２電磁調理器用食器を同時に加熱することを特徴とする調理方法。
【請求項４】
請求項１又は２に記載の前記第１電磁調理器用食器及び第２電磁調理器用食器を製作するための食器金型であって、
前記第１電磁調理器用食器及び第２電磁調理器用食器の側部形状を成型するための周辺部と、
前記周辺部と組み合わせて使用し、前記第１電磁調理器用食器の底部形状を成型するための第１中央部と、前記第２電磁調理器用食器の底部形状を成型するための第２中央部と、を有し、
前記第１中央部の上部両端に備えられる食器の高台を形成するための部位である窪みの深さが、前記第２中央部の上部両端に備えられる前記窪みの深さより浅く、前記第１中央部と前記第２中央部とでは、前記窪みの深さを除き、外形状に関し同一であり、
前記周辺部及び前記第１中央部並びに前記周辺部及び前記第２中央部は脱着自在であり、前記周辺部及び第１中央部を組み合わせて前記第１電磁調理器用食器を製作するための金型となり、前記中央部及び第２中央部を組み合わせて前記第２電磁調理器用食器を製作するための金型となることを特徴とする食器金型。
【請求項５】
前記配膳トレイと、前記調理機と、請求項１又は２に記載の前記第１電磁調理器用食器及び第２電磁調理器用食器と、を含む電磁調理システム。
【発明の詳細な説明】
【技術分野】
【０００１】
組み合わせて使用する電磁調理器用食器の技術に関する。電磁調理器用食器を作製するための金型の技術に関する。
【背景技術】
【０００２】
病院や老人ホームには多数の食事被提供者がおり、彼らへ毎日決まった時刻に提供される食事の準備に係る作業量は大きい。また、この食事の準備に係る作業量を減らすために、事前に調理しておいた食事を適時に加温して提供する対処方法も考えられるが、食中毒リスクを高める恐れがあり、調理済み食事の保管方法など注意を要する点も多く、一概に作業量を減らす対応策とは成り得ない。さらに、事前調理したものを再加温した食事は味の点でも問題がある。
【０００３】
上記のような調理作業の負担軽減、食中毒リスクの解消、味の改善を両立させるものとして、例えば、複数の配膳トレイを載置させ、配膳トレイ上の食器毎に電磁誘導加熱可能な配膳車が提案されている（特許文献１）。また、このような電磁調理器で使用する食器として、電磁調理器で調理を行うことができるとともに、調理の後は他の容器によそうことなく調理に用いた食器のままで食事をすることができる電磁調理器用食器なども提案されている（特許文献２）。
【先行技術文献】
【特許文献】
【０００４】
【特許文献１】特開２０１１−７８５３７号公報
【特許文献２】特開２００３−１１６６９７号公報
【発明の概要】
【発明が解決しようとする課題】
【０００５】
しかしながら、上記の従来技術においては、複数の配膳トレイを収納し、各配膳トレイ上に載置された食器を電磁誘導加熱する調理機において、調理機の構成上、所定の規則でグループ分けされた群毎に同一の加熱制御が行われる場合、当該群内に、加える熱量を変えるべき食材があったとしても、個別制御できないという問題点があった。つまり、加熱調理において相対的に少ない熱量を加えるべき食材は加熱し過ぎの状態となり、相対的に多い熱量を加えるべき食材は加熱が不十分な状態となり、それぞれ味の低下、未加熱による食中毒リスクの顕在化という問題点を有する。
【０００６】
そこで本発明では、上記問題点に鑑み、複数の配膳トレイ上に載置された食器に対し同一の加熱制御を行う電磁誘導調理機において、食器内の食材に加える熱量の大きさを調整可能な電磁調理器用食器セットを提供することを目的とする。
【課題を解決するための手段】
【０００７】
開示する電磁調理用食器セットの一形態は、配膳トレイ上の所定の位置に載置される複数の食器を前記配膳トレイ下かつ各前記食器に対応させて配置される電磁誘導コイルが発する電磁波を利用して前記各食器を電磁誘導加熱し前記各食器内に配置される食材の調理を行う調理機であって、２つ以上の前記配膳トレイそれぞれの同じ位置に載置される前記食器に対し同一の加熱調理制御が行われる前記調理機において、前記２つ以上の前記配膳トレイそれぞれの同じ位置に載置され同時に使用される電磁調理器用食器セットであって、相対的に強く熱する必要のある前記食材を配置させる第１電磁調理器用食器と、相対的に弱く熱する必要のある前記食材を配置させる第２電磁調理器用食器と、を含み、前記第１電磁調理器用食器に係る高台の高さが前記第２電磁調理器用食器に係る高台の高さより低く、前記第１電磁調理器用食器及び前記第２電磁調理器用食器が備える各発熱部と前記電磁誘導コイルとの距離を前記高台の高さで調整することを特徴とする。
【０００８】
開示する電磁長期用食器セットの一形態は、上記構成に加え、前記第１電磁調理器用食器及び第２電磁調理器用食器が、非磁性材から成る上面が開口した外容器と、該外容器の内側に密接に嵌合し、電磁誘導加熱の原理により発熱する磁性金属から成る上面が開口した内容器と、を備え、前記外容器の熱伝導率が前記内容器の熱伝導率よりも低く、前記第１電磁調理器用食器と前記第２電磁調理器用食器とでは、前記外容器に係る高台の形状を除き、外形状に関し同一であることを特徴とする。
【０００９】
開示する調理方法の一形態は、配膳トレイ上の所定の位置に載置される複数の食器を前記配膳トレイ下かつ各前記食器に対応させて配置される電磁誘導コイルが発する電磁波を利用して前記各食器を電磁誘導加熱し前記各食器内に配置される食材の調理を行う調理機であって、２つ以上の前記配膳トレイそれぞれの同じ位置に載置される前記食器に対し同一の加熱調理制御が行われる前記調理機において、第１電磁調理器用食器に係る高台の高さが第２電磁調理器用食器に係る高台の高さより低く、前記第１電磁調理器用食器及び前記第２電磁調理器用食器が備える各発熱部と前記電磁誘導コイルとの距離を前記高台の高さで調整するとき、前記第１電磁調理器用食器には相対的に強く熱すべき前記食材を配置すると共に、前記第２電磁調理器用食器には相対的に弱く熱すべき前記食材を配置し、前記同一の加熱調理制御が施される位置に載置させた前記第１電磁調理器用食器及び前記第２電磁調理器用食器を同時に加熱することを特徴とする。
【００１０】
開示する食器金型の一形態は、前記第１電磁調理器用食器及び第２電磁調理器用食器を製作するための食器金型であって、前記第１電磁調理器用食器及び第２電磁調理器用食器の側部形状を成型するための周辺部と、前記周辺部と組み合わせて使用し、前記第１電磁調理器用食器の底部形状を成型するための第１中央部と、前記第２電磁調理器用食器の底部形状を成型するための第２中央部と、を有し、前記第１中央部の上部両端に備えられる食器の高台を形成するための部位である窪みの深さが、前記第２中央部の上部両端に備えられる前記窪みの深さより浅く、前記第１中央部と前記第２中央部とでは、前記窪みの深さを除き、外形状に関し同一であり、前記周辺部及び前記第１中央部並びに前記周辺部及び前記第２中央部は脱着自在であり、前記周辺部及び第１中央部を組み合わせて前記第１電磁調理器用食器を製作するための金型となり、前記中央部及び第２中央部を組み合わせて前記第２電磁調理器用食器を製作する金型となることを特徴とする。
【００１１】
開示する電磁調理システムの一形態は、前記配膳トレイと、前記調理機と、前記第１電磁調理器用食器及び第２電磁調理器用食器と、を含む。
【発明の効果】
【００１２】
開示する電磁調理用食器セットは、複数の配膳トレイ上に載置された食器に対し同一の加熱制御を行う電磁誘導調理機において、食器内の食材に加える熱量の大きさを調整することができる。
【図面の簡単な説明】
【００１３】
【図１】本実施の形態に係る配膳トレイ及び配膳トレイ上に載置される食器の一例を示す図である。
【図２】本実施の形態に係る配膳トレイ上面の一例を示す図である。
【図３】本実施の形態に係る調理機における配膳トレイ設置部位（トッププレート）の透視図の一例である。
【図４】本実施の形態に係る調理機における電磁誘導加熱の原理を説明する図である。
【図５】本実施の形態に係る調理機の一例を示す図である。
【図６】本実施の形態に係る第１電磁調理器用食器及び第２電磁調理器用食器の断面図の一例を示す図である。（ａ）第２電磁調理器用食器、（ｂ）第１電磁調理器用食器。
【図７】本実施の形態に係る食器金型の断面図の一例を示す図である。（ａ）周辺部及び第２中央部を組み合わせた食器金型、（ｂ）周辺部及び第１中央部を組み合わせた食器金型。
【発明を実施するための形態】
【００１４】
図面を参照しながら、本発明を実施するための形態について説明する。
（本実施の形態に係る調理機の概要）
【００１５】
図１乃至５を用いて、本実施の形態に係る調理機３８について説明する。図１で示すように、調理機３８は、配膳トレイ４０を収納することが可能であり、配膳トレイ４０上に複数の食器３２０を載置させ、配膳トレイ４０下かつ各食器に対応させ配置される電磁誘導コイル４２が発する電磁波を利用して各食器を電磁誘導加熱し、各食器内に設置された食材４４の調理を行う。
【００１６】
図２で示すように、配膳トレイ３８上には、各食器を載置させる位置が分かるように目印４６が付されている。また、図３で示すように、調理機３８は、配膳トレイ４０の下であって、配膳トレイ４０上の各食器を載置させる位置を示す目印４６の下位置に、各食器を電磁誘導加熱するための電磁誘導コイル４２を備えている。
【００１７】
また、配膳トレイ４０上に載置される食器は、２層構造で構成され、このうち内側層が誘導加熱可能で且つ熱伝導率の高いステンレス等の金属で形成され、外側層が高い耐熱性を有するとともに内側層よりも熱伝導率の低い樹脂で形成される。
【００１８】
図４で示すように、渦巻状のコイルである電磁誘導コイル４２に高周波の電流を流すと、電磁誘導の法則に従って電磁誘導コイル４２の周辺に磁力線が発生し、磁力線が食器（金属）を通過するときに、食器の内部に無数の渦電流を発生させる。渦電流が流れるとき、食器内の金属において電気抵抗熱が発生し、この熱を利用して食器に配置された食材４４の調理を行う。なお、調理機３８側で行う食器の加熱度合いの調整は、電磁誘導コイル４２に流す電流の大きさを変化させることにより行う。
【００１９】
図５で示すように、調理機３８は、複数の配膳トレイ４０を収納（設置）することができ、複数の配膳トレイ４０上に載置された食器を同時に加熱調理することが可能である。一方で、調理機３８は、機能・構成の関係上、複数の配膳トレイ４０のうち所定の規則によってグループ分けされた一部又は全部の配膳トレイ４０が含まれる群毎に、同一の加熱調理制御が行われる。ここで「群」とは、例えば、調理機３８内で同一列に設置された複数の配膳トレイ４０や調理機３８内で同一の高さに設置された複数の配膳トレイ４０等、所定領域内に設置される複数の配膳トレイ４０を一括りとして捉える概念である。
【００２０】
調理機３８は、同一群内に含まれる複数の配膳トレイ４０上であって、各配膳トレイ４０の同一の位置に載置される食器に対しては、同一の加熱調理制御を行う。つまり、調理機３８は、同一群内に含まれる複数の配膳トレイ４０上であって、各配膳トレイ４０の同一の位置に載置される食器内の食材４４に対し、同一の熱量が提供（供給）されるように電磁誘導コイル４２に流す電流の大きさを制御する。これは調理機３８が、同じ内容の食事を一度に複数調理することができるように設計されていることに基づくものである。
【００２１】
しかし、調理機３８において、同一群内に含まれる複数の配膳トレイ４０上であって、各配膳トレイ４０の同一の位置に載置される食器で、本来加えるべき熱量が異なるものを同時に調理する場合、個別に異なる加熱調理制御を施すことができない。つまり、調理機３８においては、相対的に少ない熱量を加えるべきだった料理は過加熱状態となり、相対的に多くの熱量を加えるべきだった料理は不十分な加熱状態となり、これら両方又はどちらか一方は不完全な料理となってしまう。この問題を解消させるために、下記で説明する電磁調理機用食器セット１が案出された。なお、本来加えるべき熱量が異なる料理とは、「肉じゃが」と「八宝菜」のように料理の種類が異なるものだけでなく、同じ種類の料理であっても、「ご飯（小）」と「ご飯（大）」のように量が異なるものも含まれる。
（本実施の形態に係る電磁調理器用食器セットの構造）
【００２２】
図６を用いて、本実施の形態に係る電磁調理器用食器セット１（以下、単に「食器セット」という。）の構造について説明する。食器セット１は、第１電磁調理器用食器（以下、単に「第１食器」という。）２、第２電磁調理器用食器（以下、単に「第２食器」という。）１４を含む。
【００２３】
図６（ｂ）で示すように、第１食器２は、非磁性材から成る上面が開口した外容器１２と、外容器１２の内側に密接に嵌合し、電磁誘導加熱の原理により発熱する磁性金属から成る上面が開口した内容器１０と、を備える。外容器１２の熱伝導率は、内容器１０の熱伝導率よりも低い。
【００２４】
図６（ａ）で示すように、第２食器１４は、非磁性材から成る上面が開口した外容器２４と、外容器２４の内側に密接に嵌合し、電磁誘導加熱の原理により発熱する磁性金属から成る上面が開口した内容器２２と、を備える。外容器２４の熱伝導率は、内容器２２の熱伝導率よりも低い。
【００２５】
第１食器２は、第２食器１４内で加熱調理を行う食材４４に比べ、相対的に大きな熱量を加えて調理を行うべき食材４４の調理を行うための食器である。逆に、第２食器１４は、第１食器２内で加熱調理を行う食材４４に比べ、相対的に小さな熱量を加えて調理を行うべき食材４４の調理を行うための食器である。
【００２６】
図６で示すように、第１食器２は、底部８に備わる高台４の高さが、第２食器１４の底部２０に備わる高台１６の高さよりも低い。逆に、第２食器１４は、底部２０に備わる高台１６の高さが、第１食器２の底部８に備わる高台４の高さよりも高い。
【００２７】
また図６で示すように、第１食器２と第２食器１４とでは、それぞれの外容器１２、２４の高台４、１６の形状を除いて、外形状に関し同一形状である。後述するような食器金型２６を使用して低コストで生産できるようにするためである。なお、第１食器２及び第２食器１４の色彩等の表面的デザインは、調理作業者の利便性を考慮し、第１食器２と第２食器１４とで異なるようにすることが好適である。
【００２８】
第１食器２及び第２食器１４が上記のような特徴を備えることによって、第１食器２の内容器１０（発熱部）は電磁誘導コイル４２との距離を相対的に近くすることができ、逆に、第２食器１４の内容器２２（発熱部）は電磁誘導コイル４２との距離を相対的に遠くすることができる。つまり、第１食器２が備える発熱部である内容器１０と電磁誘導コイル４２との距離は、第２食器１４が備える発熱部である内容器２２と電磁誘導コイル４２との距離よりも小さくなる。図４で示すように、電磁誘導コイル４２に流れる電流の大きさが同一の場合、食器２、１４（の内容器１０、２２）と電磁誘導コイル４２との距離の大小は食器２、１４が提供する加熱力の大小と逆相関の関係にあるため、第１食器２の加熱力は第２食器１４の加熱力よりも大きくなる。
【００２９】
なお、料理の内容によって加えるべき熱量の大小は異なるため、料理の内容に応じ高台４、１６の高さ（電磁誘導コイル４２と発熱体である内容器１０、２２までの距離）は適宜調整・設定する必要がある。また、対応できる料理の幅を広げるために、第１食器２及び第２食器１４の２通り以外に、上記特徴を有しつつ食器２、１４とは高台の高さが異なる食器を作製しても良い。
（本実施の形態に係る食器金型の構造）
【００３０】
図７を用いて、本実施の形態に係る食器金型２６の構造について説明する。図７は、食器金型２６の断面図である。食器金型２６は、第１食器２及び第２食器１４を作成するための金型である。食器金型２６は、周辺部２８、第１中央部３０、第２中央部３４を備える。
【００３１】
周辺部２６は、第１食器２及び第２食器１４の側部６、１８形状を成型するための部位である。図７で示すように、周辺部２６は、その中央に、第１中央部３０又は第２中央部３４を組み込むための上部下部を貫通する空間を備える。
【００３２】
第１中央部３０は、第１食器２の底部８形状を成型するための部位である。図７（ｂ）で示すように、第１中央部３０は、周辺部２６と組み合わせて、第１食器２を成型するための金型となる。第１中央部３０は、上部両端に、第１食器２の高台を形成するための窪み３２を備えている。
【００３３】
第２中央部３４は、第２食器１４の底部２０形状を成型するための部位である。図７（ａ）で示すように、第２中央部３４は、周辺部２６と組み合わせて、第２食器１４を成型するための金型となる。第２中央部３４は、上部両端に、第２食器１４の高台を形成するための窪み３６を備えている。
窪み３２の深さは、窪み３６の深さに比べ浅い。高台４の高さが高台１６の高さより低いため、窪み３２の深さは相対的に浅い必要がある。
また、第１中央部３０と第２中央部３６とでは、窪み３２、３６の形状以外、同一の外形状である。
【００３４】
周辺部２８と第１中央部３０、周辺部２８と第２中央部３４は着脱自在であり、作製するものが第１食器２であるか第２食器１４であるかに応じ、適宜組み合わせを変更する。上記のような構成とすることで、食器２、１４を作製するために必要な金型を少なくすることができ、食器２、１４に係る製作コストの削減を図ることができる。
（本実施の形態に係る電磁調理器用食器セットの使用方法）
以下、調理機３８において第１食器２及び第２食器１４を使用する調理方法について説明する。
【００３５】
配膳トレイ４０上の第１食器２及び第２食器１４それぞれに、相対的に大きな熱量を加えて調理を行うべき食材４４、相対的に小さな熱量を加えて調理を行うべき食材４４を投入する。
【００３６】
別々の配膳トレイ４０であって、各配膳トレイ４０上の同じ位置に第１食器２及び第２食器１４を載置させる。なお、食器２、１４への食材４４の投入作業と配膳トレイ４０上への食器２、１４の載置作業は、何れを先に行っても良い。
【００３７】
上記の配膳トレイ４０を調理機３８内に収納した後、調理機３８の操作を行い、配膳トレイ４０上の第１食器２及び第２食器４を電磁誘導加熱する。このとき、第１食器２及び第２食器１４を配置した各配膳トレイ４０は、同一の加熱調理制御が施される同一群内に含まれる。
【００３８】
調理機３８は、同一群内に含まれる複数の配膳トレイ４０上であって、各配膳トレイ４０の同一の位置に載置される食器２、１４に対し同一強度の加熱調理制御を行う。つまり、調理機３８は、食器２、１４に対応する電磁誘導コイル４２に同じ大きさの電流を供給する。
【００３９】
第１食器２内の食材４４及び第２食器１４内の食材４４は、電磁誘導コイル４２から食器２、１４が備える発熱体１０、２２までの距離の違いによって加えられる熱量が調整され、程良く熱が通った状態に調理される。
【００４０】
このようにすることで、複数の配膳トレイ４０上に載置された食器２、１４に対し同一の加熱制御を行う電磁誘導調理機３８において、食器２、１４内の食材４４に加える熱量の大きさを調整することができる。
（本実施の形態に係る食器金型の使用方法）
以下、食器金型２６を使用して第１食器２及び第２食器１４を作製する方法について説明する。
【００４１】
図７（ｂ）で示すように、周辺部２８と第１中央部３０とを組み合わせ、第１食器２を作製するための金型を準備し、当該金型を利用して第１食器２を作製する。
【００４２】
第２食器１４を作製する場合、周辺部２８から第１中央部３０を取り外す。そして、図７（ａ）で示すように、周辺部２８と第２中央部３４とを組み合わせ、第２食器１４を作製するための金型を準備し、当該金型を利用して第２食器１４を作製する。
上記のように周辺部２８と第１中央部３０又は第２中央部３４とを組み合わせることで、少ないパーツで第１食器２及び第２食器１４を作製することができる。
【００４３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４４】
１    電磁調理器用食器セット（食器セット）
２    第１電磁調理器用食器（第１食器）
４    第１電磁調理器用食器の高台
６    第１電磁調理器用食器の側部
８    第１電磁調理器用食器の底部
１０  第１電磁調理器用食器の内容器
１２  第１電磁調理器用食器の外容器
１４  第２電磁調理器用食器（第２食器）
１６  第２電磁調理器用食器の高台
１８  第２電磁調理器用食器の側部
２０  第２電磁調理器用食器の底部
２２  第２電磁調理器用食器の内容器
２４  第２電磁調理器用食器の外容器
２６  食器金型
２８  周辺部
３０  第１中央部
３２  第１中央部の窪み
３４  第２中央部
３６  第２中央部の窪み
３８  調理機
４０  配膳トレイ
４２  電磁誘導コイル
４４  食材
４６  （配膳トレイ上の）目印
４８  調理機の棚（トッププレート）
【要約】      （修正有）【課題】開示の食器セットは、複数の配膳トレイ上に載置された食器に対し同一の加熱制御を行う電磁誘導調理機において、食器内の食材に加える熱量の大きさを調整することができる。【解決手段】開示の食器セットは、２つ以上の配膳トレイそれぞれの同じ位置に載置される食器２，１４に対し同一の加熱調理制御が行われる調理機において、２つ以上の配膳トレイそれぞれの同じ位置に載置され同時に使用される食器セットであって、相対的に強く熱する必要のある食材を配置させる第１食器２と、相対的に弱く熱する必要のある食材を配置させる第２食器１４と、を含み、第１食器２に係る高台４の高さが第２食器１４に係る高台１６の高さより低く、第１食器２及び第２食器１４が備える各発熱部と電磁誘導コイルとの距離を高台の高さで調整することを特徴とする。【選択図】図６【図１】
0005796866.tif 000002
【図２】
0005796866.tif 000003
【図３】
0005796866.tif 000004
【図４】
0005796866.tif 000005
【図５】
0005796866.tif 000006
【図６】
0005796866.tif 000007
【図７】
0005796866.tif 000008